(57)【特許請求の範囲】
【請求項１】
一対の表面板と、これら表面板の辺部間に介在される枠材と、上記両表面板及び枠材にて形成される空間内に注入充填される断熱心材と、からなる断熱パネルに埋設される取付金具において、
上記取付金具は、上記一方の表面板の内面に当接可能な基板と、この基板の一辺から上記断熱パネルの厚さ方向に延設される起立板と、この起立板の先端から上記表面板と略平行に延設される水平板とを具備すると共に、上記起立板に切込み部を具備し、
上記水平板は、上記基板の外方向側に延設される外部水平板と、上記基板の内方向側に延設される内部水平板とからなり、かつ、外部水平板及び内部水平板に貫通孔部を具備してなる、
ことを特徴とする断熱パネル用取付金具。
【請求項２】
上記貫通孔部が上記外部水平板と内部水平板に跨って設けられることを含む、ことを特徴とする請求項１記載の断熱パネル用取付金具。
【請求項３】
上記内部水平板は、上記起立板の切込み部から切り倒された片にて形成される、ことを特徴とする請求項１又は２に記載の断熱パネル用取付金具。
【発明の詳細な説明】
【技術分野】
【０００１】
この発明は、例えば建築物の天井、壁あるいは床等を構成する断熱パネルに埋設される取付金具に関するものである。
【背景技術】
【０００２】
一般に、建築物の天井、壁あるいは床等を構成する構造用パネルの一種として、一対の表面板間に断熱材を挟み込んだ断熱構造のものが使用されている。また、この種の断熱パネルとして、一対の表面板と、これら表面板の辺部間に介在される枠材と、両表面板及び枠材にて形成される空間内に注入充填される例えば発泡ポリウレタン等の断熱材とからなる断熱構造のものが使用されており、断熱パネルの強度を高めるために、断熱パネル内に補強用の取付金具を埋設している。
【０００３】
出願人は、この種の取付金具として、表面板の表面に平行な方向に延設される基板と、表面板の厚さ方向に延設される垂直板と、この垂直板の先端から表面板と略平行に延設される水平板とを具備すると共に、垂直板及び水平板に複数の切込み部を具備する構造のものを提案している（例えば、特許文献１参照）。
【０００４】
この取付金具によれば、垂直板及び水平板に複数の切込み部を有することにより、切込み部付近の断熱心材の注入充填及び発泡が円滑になり、パネル内の断熱心材の密度を均一にすることが可能である。
【特許文献１】特開２００５−１９４８１０号公報（特許請求の範囲、図１，図５）
【発明の開示】
【発明が解決しようとする課題】
【０００５】
しかしながら、特許文献１に記載のものにおいては、切込み部の存在によって断熱心材と取付金具との接触面積が少なくなり、取付強度を更に強固にするためには、取付金具自体を大きくする必要がある。
【０００６】
この発明は、上記事情に鑑みてなされたもので、パネル製造における発泡性の断熱心材の注入充填及び発泡を円滑に行い、パネル内の断熱心材の密度を均一にすることができる機能を保持しつつ、取付強度が大きくかつ小型化が可能な断熱パネル用取付金具を提供することを目的とする。
【課題を解決するための手段】
【０００７】
上記課題を解決するために、この発明は、一対の表面板と、これら表面板の辺部間に介在される枠材と、上記両表面板及び枠材にて形成される空間内に注入充填される断熱心材と、からなる断熱パネルに埋設される取付金具において、  上記取付金具は、上記一方の表面板の内面に当接可能な基板と、この基板の一辺から上記断熱パネルの厚さ方向に延設される起立板と、この起立板の先端から上記表面板と略平行に延設される水平板とを具備すると共に、上記起立板に切込み部を具備し、  上記水平板は、上記基板の外方向側に延設される外部水平板と、上記基板の内方向側に延設される内部水平板とからなり、かつ、外部水平板及び内部水平板に貫通孔部を具備してなる、ことを特徴とする（請求項１）。
この場合、上記貫通孔部は上記外部水平板と内部水平板に跨って設けられるものが含まれる（請求項２）。
【０００８】
このように構成することにより、水平板は、基板の外方向側に延設される外部水平板と、基板の内方向側に延設される内部水平板とからなるため、断熱心材と取付金具の接触面積を大きくすることができる。また、外部水平板及び内部水平板に貫通孔部を設けることで、断熱心材の注入充填及び発泡を円滑にすることができる。
【０００９】
この発明において、上記内部水平板は、上記起立板の切込み部から切り倒された片にて形成する方が好ましい（請求項３）。
【００１０】
このように構成することにより、起立板の切込み部を設けるために除かれる片を内部水平板に利用することができると共に、内部水平板と外部水平板を一体化することができる。
【発明の効果】
【００１１】
この発明の断熱パネル用取付金具は、上記のように構成されているので、以下のような効果が得られる。
【００１２】
（１）請求項１，２記載の発明によれば、断熱心材と取付金具の接触面積を大きくすることができると共に、外部水平板及び内部水平板に貫通孔部を設けることで、断熱心材の注入充填及び発泡を円滑にすることができるので、取付金具自体を大きくすることなく、取付金具の断熱心材への食い込み強度を確保すると共に、パネルの断熱性の向上を図ることができる。
【００１３】
（２）請求項３記載の発明によれば、起立板の切込み部を設けるために除かれる片を内部水平板に利用することができると共に、内部水平板と外部水平板を一体化することができるので、上記（１）に加えて、更に構成材料の削減が図れると共に、取付金具の強度の向上が図れる。
【発明を実施するための最良の形態】
【００１４】
以下に、この発明の最良の実施形態を添付図面に基づいて詳細に説明する。
【００１５】
図１は、この発明に係る取付金具を埋設した断熱パネルを天井パネルとして使用した場合の連結部を示す断面図（ａ）、（ａ）のＩ−Ｉ線に沿う断面図（ｂ）及び（ａ）のII−II線に沿う断面図（ｃ）、図２は、この発明における取付金具を示す平面図、図３は、図２のIII−III線に沿う断面図、図４は、図２のIV−IV線に沿う断面図、図５は、この発明に係る取付金具の斜視図である。
【００１６】
上記断熱パネルＰ（以下にパネルＰという）は、図１に示すように、一対の表面板３と、これら表面板３の辺部間に介在される枠材４と、両表面板３及び枠材４にて形成される空間内に充填される例えば発泡ポリウレタン等の発泡性の断熱心材５（以下に心材５という）と、パネルＰの所定の部位例えば角部に配置され、一方の表面板３の内面に当接すると共に一端部が心材５内に埋設される取付金具６とで主に構成されている。
【００１７】
上記表面板３は、例えばアルミニウム合金によって一定規格の大きさの薄板状に形成されており、各辺には対向する表面板３に向かって垂直に折曲される端部折曲片３１が形成されている（図１参照）。
【００１８】
上記枠材４は、図１に示すように、接合される一方のパネルＰの一対の表面板３の辺部間に、その長手方向に沿って略断面台形状に形成される係合凸条４１と、接合される他方のパネルＰの一対の表面板３の辺部間に、上記係合凸条４１と嵌合（係合）し得る断面が略逆台形状の係合凹条４２が形成されている。これら枠材４の係合凸条４１及び係合凹条４２の両端には、両表面板３に対して垂直に延在すると共に、表面板３の端部折曲片３１が嵌合可能な嵌合溝４４を有する垂直片４３が連続的に形成されている。また、上記垂直片４３の端部から表面板３に対して平行に屈曲されて表面板３の内面に当接する水平片４５が連続的に形成されている。なお、上記枠材４は、例えば合成樹脂製の押出形材や射出成形材にて形成されている。
【００１９】
なお、隣接する枠材４同士は、コーナー材７によって連結されている。この場合、コーナー材７は、枠材４の係合凸条４１又は係合凹条４２、あるいは後述する枠材４Ａと同じ断面形状のアングル状の基体７１と、この基体７１の垂直部７１ａの上下端部から略直角に折曲し、枠材４の水平片４５を受ける鍔状の係止部７２とで構成されている（図６参照）。このコーナー材７は、合成樹脂製の射出成形材にて形成されている。
【００２０】
一方、上記取付金具６は、図１において上方の表面板３の内面に当接可能な矩形状の基板６１と、この基板６１の一辺すなわち枠材４に隣接しない辺からパネルＰの厚さ方向（パネルの内方）に屈曲して延設される起立板６３と、この起立板６３の先端から外方に表面板３に対して平行に屈曲して延設される水平板６４とで一体に形成されている。この場合、起立板６３は基板６１に対して垂直に屈曲されているが、傾斜をもたせてもよい。なお、基板６１の表面には粘着剤層例えば両面粘着テープ８が形成され、両面粘着テープ８の粘着表面に剥離紙（図示せず）が剥離可能に貼付されている。
【００２１】
また、取付金具６の起立板６３には、両端を残した内方側に略コ字状の切込み部６２が設けられている。
【００２２】
上記水平板６４は、基板６１の外方向側に延設される外部水平板６４ａと、基板６１の内方向側に延設される内部水平板６４ｂとからなり、かつ、外部水平板６４ａ及び内部水平板６４ｂに複数（例えば、３個）の貫通孔部６５ａ，６５ｂ，６５ｃが設けられている。この場合、内部水平板６４ｂは、起立板６３の切込み部６２から切り倒された片にて形成されている。すなわち、内部水平板６４ｂは、起立板６３の中央部に設けた略コ字状の切込み溝に沿って起立板６３から切り倒され（折曲され）、起立板６３の下端から折曲される外部水平板６４ａと一体に形成される。
【００２３】
上記貫通孔部６５ａ，６５ｂ，６５ｃのうちの２個の貫通孔部６５ａ，６５ｂは、外部水平板６４ａの両側に穿設される円形状に形成され、残りの１個の貫通孔部６５ｃは、外部水平板６４ａと内部水平板６４ｂに跨って穿設される長孔状に形成されている。なお、貫通孔部６５ａ，６５ｂ，６５ｃの数及び形状は、必ずしも上記と同じである必要はなく、取付金具６の強度及び心材５の発泡充填時の流動性等を考慮して任意の数や任意の形状にしてもよい。
【００２４】
また、基板６１は必ずしも矩形状である必要はなく、例えば台形状等であってもよい。また、切込み部６２の形状も略コ字状に限定されるものではなく、例えば略Ｕ字状に形成してもよい。
【００２５】
また、基板６１の所定位置には、透孔６６ａが設けられており、この透孔６６ａに嵌着される筒体６６ｂ内に雌ねじ部を刻設することによって、基板６１の裏面側に取付ねじ受け部６６が形成されている。この取付ねじ受け部６６には、心材５を発泡充填するときに心材５が取付ねじ受け部６６内に入り込むのを防止するための塞ぎキャップ６７が被着されている。このように形成される取付ねじ受け部６６には、後述する連結ボルト２０が螺着されることで、パネルＰを天井部に取り付けることができる。
【００２６】
また、基板６１における取付ねじ受け部６６の外方側近傍には、取付ねじ受け部６６よりも高いスペーサ部６８が基板６１から切り起こされて形成されている。
【００２７】
スペーサ部６８を設けた理由は、取付金具６を積み重ねて保管，運搬するときに、基板６１の表面に形成された粘着剤層（両面粘着テープ８）から予め剥離紙を剥離した状態する関係上、粘着剤層が下段の取付金具６の取付ねじ受け部６６の塞ぎキャップ６７に接着し、１個の取付金具６を取り出すときに塞ぎキャップ６７が取付ねじ受け部６６から離脱するのを防止するためである。
【００２８】
なお、取付金具６を積み重ねるには、図７に示すように、上段の取付金具６の切込み部６２内に下段の取付金具６の内部水平板６４ｂを貫挿するようにして、基板６１を上段の取付金具６の基板６１の表面に位置させ、スペーサ部６８によって上段の取付金具６を支持する。この状態において、下段の取付金具６の取付ねじ受け部６６の塞ぎキャップ６７と上段の取付金具６の基板６１とが接触することがない。取付金具６は上記のようにして順次積み重ねられ、例えば約３０数個積み重ねた状態で、運搬用段ボールに収容して保管、あるいは、現場まで運搬される。
【００２９】
また、取付金具６は、図２及び図３に示すように、基板６１の起立板６３及び水平板６４が形成されない辺すなわち枠材４側に位置する辺６１ａ、及びこの辺６１ａに隣接する２辺６１ｂ，６１ｃに、基板６１が当接している表面板３から離れる方向に段部６１ｄを形成し、この段部６１ｄから表面板３と平行に延在して上記枠材４の水平片４５が係止可能な係止受け部６９ａが形成され、かつ２辺６１ｂ，６１ｃ側の係止受け部６９ａの外方側端部には、コーナー材７の係止部７２を係止可能な補助係止受け部６９ｂが形成されている。なお、取付金具６は、例えば亜鉛製鉄板をプレス加工することによって形成されている。
【００３０】
上記のように取付金具６を形成することで、心材５の液をパネルＰ内に充填する際に、心材５の液が切込み部６２及び貫通孔部６５ａ，６５ｂ，６５ｃを通るので、心材５の液をパネルＰ内に均一に充填することができる。また、心材５を発泡する際に、心材５が切込み部６２及び貫通孔部６５ａ，６５ｂ，６５ｃを通って起立板６３及び水平板６４の両面で発泡することができるので、パネルＰ内の取付金具６周辺の発泡密度を均一にすることができ、パネルＰの断熱性の向上を図ると共に、パネルＰの美観の向上を図ることができ、かつ、心材５への取付金具６の食い込み強度を確保することができる。また、取付金具６に係止受け部６９ａを形成することで、枠材４の水平片４５を係止受け部６９ａと表面板３とで挟持することができ、枠材４の固定を強固にすることができる。
【００３１】
なお、取付金具６に補助係止受け部６９ｂを形成することで、コーナー材７の係止部７２と枠材４の水平片４５を補助係止受け部６９ｂと表面板３とで挟持することができ、枠材４の固定を強固にすることができる。
【００３２】
ここで、取付金具６の補助係止受け部６９ｂとコーナー材７との取付構造について、上記枠材４とこの枠材４と異なる形状の枠材４Ａとを隣接して有する断熱パネルＰAの場合について図６を参照して説明する。図６に示すように、枠材４Ａは表面板３の内面に当接する水平片４５Ａが連続的に形成されている。コーナー材７には、枠材４Ａの水平片４５Ａを受ける鍔状の係止部７２が設けられている。なお、係止部７２の先端には枠材４Ａの水平片４５Ａの高さと略同一の高さの起立片７３が設けられている。
【００３３】
上記のように構成される枠材４Ａの水平片４５Ａは、取付金具６の補助係止受け部６９ｂ上に係止され、コーナー材７の係止部７２と枠材４Ａの水平片４５Ａを補助係止受け部６９ｂと表面板３とで挟持される。
【００３４】
なお、枠材４を有する断熱パネルＰにおいても同様に、コーナー材７の係止部７２と枠材４Ａの水平片４５Ａを補助係止受け部６９ｂと表面板３とで挟持することができる。
【００３５】
上記のように構成される断熱パネルＰを製造するには、まず、一方の表面板３の辺部に枠材４を枠組みし、両面粘着テープ８を介して表面板３に取付金具６の基板６１を仮接着する。次に、他方の表面板３を組み付ける。このようにして、複数のパネルを定盤及びスペーサを介して平積みし、平積みされた各パネルの両表面板３と枠材４によって形成された空間内に、枠材４に設けられた注入口から発泡心材を注入・充填して断熱パネルを作製する。この際、発泡心材は、取付金具６の切込み部６２と貫通孔部６５ａ，６５ｂ，６５ｃを流れて、取付金具６の起立板６３と水平板６４すなわち外部水平板６４ａ及び内部水平板６４ｂに均一に接触する。また、取付ねじ受け部６６は塞ぎキャップ６７によって閉塞されているので、取付ねじ受け部６６内に発泡心材が流れ込んで、目詰まり起こす心配はない。
【００３６】
次に、この発明における断熱パネルＰを天井パネルに使用した場合の天井構造について説明する。
【００３７】
天井構造は、図１に示すように、天井を構成する位置に下地材として配置されるレール１に、連結金具２を介して断熱パネルＰが取り付けられている。
【００３８】
上記レール１は、例えばアルミニウム合金製の押出形材にて形成され、図１に示すように、上下方向に延在するウエブ１１と、このウエブ１１の上下各端から横方向における一方の側に突出する上側フランジ１２及び下側フランジ１３と、これら各フランジ１２，１３の先端部から互いに近づく方向に突出する上側リブ１４及び下側リブ１５とによって、断面がＣ字状に形成されている。なお、上記レール１は、図示しない吊持手段によって躯体（天井スラブ）から吊り下げられている。
【００３９】
上記連結金具２は、例えばアルミニウム合金製の押出形材にて形成され、図１に示すように、レール１におけるウエブ１１に沿うように形成された第１壁部２１と、上側リブ１４から下側リブ１５にわたってこれらのリブ１４，１５に沿うように形成された第２壁部２４と、第１壁部２１及び第２壁部２４の上端部に連結され、上側フランジ１２に沿うように形成された水平壁部２７と、第１壁部２１の他端から第２壁部２４の反対方向に直角に屈曲する第１脚部２２と、第１脚部２２の先端から上方に直角に屈曲する第１リブ２３と、第２壁部２４の下端から第１壁部２１の反対方向に直角に屈曲する第２脚部２５と、この第２脚部２５の先端から上方に直角に屈曲する第２リブ２６とによって一体に形成されている。
【００４０】
上記のように形成された連結金具２は、レール１の断面におけるウエブ１１、上側フランジ１２、上側リブ１４、下側リブ１５を外側からコ字状に囲むようにして、下側フランジ１３の下面に当接するパネルＰに設けられた上記取付ねじ受け部６６に螺着される連結ボルト２０によって固定されるようになっている。また、連結金具２の第１壁部２１と、レール１のウエブ１１とは、ねじ１６によって固定されている。なお、上記レール１の下側リブ１５とパネルＰの表面板３との当接部の周縁部には、シール部材１０が装填され、気水密性の維持が図られている。
【００４１】
なお、上記実施形態では、取付金具６をパネルＰの角部に配置する場合について説明したが、角部以外に例えば、パネルＰの所定の辺部にピース状に配置してもよく、あるいは、所定の辺部全域に配置してもよい。
【００４２】
なお、上記実施形態では、この発明の取付金具６を埋設する断熱パネルＰを天井パネルに使用した場合について説明したが、天井パネル以外に例えば壁パネルや床パネル等にも使用できることは勿論である。
【図面の簡単な説明】
【００４３】
【図１】この発明に係る取付金具を埋設した断熱パネルを天井パネルとして使用した場合の連結部を示す断面図（ａ）、（ａ）のＩ−Ｉ線に沿う断面図（ｂ）及び（ａ）のII−II線に沿う要部断面図（ｃ）である。
【図２】この発明に係る取付金具を示す平面図である。
【図３】図２のIII−III線に沿う断面図である。
【図４】図２のIV−IV線に沿う断面図である。
【図５】この発明に係る取付金具を示す斜視図である。
【図６】この発明に係る取付金具を別の断熱パネルに埋設した場合の断面斜視図である。
【図７】この発明に係る取付金具の複数を重ねた状態を示す断面図である。
【符号の説明】
【００４４】
Ｐ  断熱パネル
３  表面板
４  枠材
５  断熱心材
６  取付金具
６１  基板
６２  切込み部
６３  起立板
６４  水平板
６４ａ  外部水平板
６４ｂ  内部水平板
６５ａ，６５ｂ，６５ｃ  貫通孔部
６６  取付ねじ受け部
【図１】
0005137113.tif 000002
【図２】
0005137113.tif 000003
【図３】
0005137113.tif 000004
【図４】
0005137113.tif 000005
【図５】
0005137113.tif 000006
【図６】
0005137113.tif 000007
【図７】
0005137113.tif 000008